(57)【要約】      （修正有）【課題】仕切部材の間隔を任意に変更可能なワインラックを提供する。【解決手段】ワインラック３００は、ブラケット１００とラック本体２００から構成されている。そして、このワインラック３００は、ブラケット１００の係止部１１０が商品棚の支柱Ｐの係止穴Ｐ１に係止されて、支柱Ｐに取り付けられる。なお、ラック本体２００、及びブラケット１００全体は金属製であり、ワインボトルＢの重量に十分に耐えられるものである。また、ラック本体２００は、両端をそれぞれブラケット１００に取り付けられて固定されている。このラック本体２００は、主にレール体２１０と前方柵部２２０と仕切部材２３０から構成されている。そして、仕切部材２３０は、陳列されるワインボトルＢの幅に応じて、互いの仕切部材２３０の間隔を調節して、レール体２１０に取り付けられている。ワインボトルＢはその側面を仕切部材２３０によって支持され、その底部を前方柵部２２０によって支持されて、陳列されている。【選択図】図１
0003191827.tif 000002
【実用新案登録請求の範囲】
【請求項１】
ブラケットと、当該ブラケットに取り付けられるラック本体とからなるワインラックであって、
前記ラック本体は、
横方向に直線状に延びるレール体と、
ワインボトル底部を支持する前方柵部と、
前記レール体に着脱可能に取り付けられる仕切部材とを備えることを特徴とするワインラック。
【請求項２】
前記ラック本体は、右支柱、左支柱、前支柱、及び後支柱を連結して形成された枠体であり
さらに、前記レール体は、前記前支柱と前記後支柱の間に固定されていることを特徴とする請求項１に記載のワインラック。
【考案の詳細な説明】
【技術分野】
【０００１】
本考案は、スーパーマーケットやコンビニ等で、ワイン等のボトル形状をした商品を陳列するためのワインラックに関する。
【背景技術】
【０００２】
従来から、ワイン等のボトル形状をした商品を陳列するためのワインラックは、様々なものが知られていた。例えば、図６に示すように、既に備え付けられた商品棚４００に、ワイン陳列用棚５００を重ねて取り付けるものがある。
【０００３】
このワイン陳列用棚５００は、図６に示すように、平板状のラック本体５１０の上に仕切部材５２０が溶接固定されているものである。そして、ブラケット４２０上に既に固定された陳列棚４１０の上に、このワイン陳列用棚５００を重ねて取り付けている。
【０００４】
しかしながら、従来のワイン陳列用棚５００では、仕切部材５２０がラック本体５１０の上に溶接固定されているので、仕切部材５２０同士の間隔を任意に変更することができない。そのため、様々なワインボトルの大きさに対応して仕切部材５２０の幅を変更することができず、大変不便なものであった。
【０００５】
また、従来のワイン陳列用棚５００は、既に備え付けられた商品棚４００の上に重ねて取り付けているので、商品棚４００とワイン陳列用棚５００との総重量が大きく、商品棚４００全体の移動は大変労力がかかるものであった。
【考案の概要】
【考案が解決しようとする課題】
【０００６】
そこで、本考案は、上記問題に鑑み、仕切部材の間隔を任意に変更可能なワインラックを提供するものである。
【課題を解決するための手段】
【０００７】
上記課題を解決するために、本考案のワインラックは、ブラケットと、当該ブラケットに取り付けられるラック本体とからなるワインラックであって、前記ラック本体は、横方向に直線状に延びるレール体と、ワインボトル底部を支持する前方柵部と、前記レール体に着脱可能に取り付けられる仕切部材とを備えることを特徴とする。
【０００８】
上記特徴によれば、横方向に直線状に延びるレール体と、レール体に着脱可能に取り付けられる仕切部材とによって、横方向の任意の位置に仕切部材を配置することができることから、ワインボトルの大きさに応じて、仕切部材同士の間隔を任意に変更することができ、非常に利便性が高いのである。
【０００９】
また、従来のように、商品棚の上に重ねて配置するのではなく、ブラケットにラック本体を直接取り付ける構成となっているので、従来と比較して、総重量は軽くなる。
【００１０】
さらに、本考案のワインラックのラック本体は、右支柱、左支柱、前支柱、及び後支柱を連結して形成された枠体であり、前記レール体は、前記前支柱と前記後支柱の間に固定されていることを特徴とする。
【００１１】
上記特徴によれば、ラック本体は枠体形状をしているので、ラック本体の重量が軽くなる。また、レール体は、前支柱と後支柱の間に固定されているので、レール体と前支柱と後支柱の間には、隙間が出来ている。したがって、ラック本体の重量が更に軽くなる。また、その隙間を利用して、レール体に仕切部材を容易に着脱することができる。
【考案の効果】
【００１２】
上述したように、本考案によれば、仕切部材の間隔を任意に変更可能なワインラックを提供できる。
【図面の簡単な説明】
【００１３】
【図１】本考案のワインラックの全体斜視図である。
【図２】（a）は本考案のワインラックのラック本体の平面図、（ｂ）は側面図、（ｃ）は正面図である。
【図３】（a）は本考案のワインラックの仕切部材の正面図、（ｂ）は側面図である。
【図４】（a）と（ｂ）は、本考案のワインラックのレール体に、仕切部材を取り付ける状態を示す側面図である。
【図５】（a）と（ｂ）は、本考案のワインラックのブラケットを示す側面図である。
【図６】本考案のワインラックの従来技術を示す全体斜視図である。
【符号の説明】
【００１４】
１００  ブラケット
２００  ラック本体
２１０  レール体
２２０  前方柵部
２３０  仕切部材
３００  ワインラック
B      ワインボトル
【考案を実施するための形態】
【００１５】
以下に、本考案の実施の形態について、図面を用いて説明する。なお、以下の説明において参照する各図の形状は、好適な形状寸法を説明する上での概念図又は概略図であり、寸法比率等は実際の寸法比率とは必ずしも一致しない。つまり、本考案は、図面における寸法比率に限定されるものではない。
【００１６】
図１は、本考案のワインラック３００を示す全体斜視図である。図に示すように、ワインラック３００は、ブラケット１００とラック本体２００から構成されている。そして、このワインラック３００は、ブラケット１００の係止部１１０が商品棚の支柱Pの係止穴P１に係止されて、支柱Pに取り付けられる。なお、ラック本体２００、及びブラケット１００全体は金属製であり、ワインボトルBの重量に十分に耐えられるものである。
【００１７】
また、ラック本体２００は、両端をそれぞれブラケット１００に取り付けられて固定されている。このラック本体２００は、主にレール体２１０と前方柵部２２０と仕切部材２３０から構成されている。そして、仕切部材２３０は、陳列されるワインボトルBの幅に応じて、互いの仕切部材２３０の間隔を調節して、レール体２１０に取り付けられている。ワインボトルBはその側面を仕切部材２３０によって支持され、その底部を前方柵部２２０によって支持されて、陳列されている。
【００１８】
なお、図では、支柱Pに１つのワインラック３００のみが取り付けられているが、陳列スペースに応じて、支柱Pの高さ方向に多段に複数のワインラック３００を取り付けてもよい。また、ワインボトルB以外にも、他の任意の商品を陳列してもよい。
【００１９】
では、次に、図２（a）から（ｃ）を参照して、ラック本体２００の構成について詳しく説明する。
【００２０】
図２(a)に示すように、ラック本体２００は、右支柱２１４、左支柱２４２、前支柱２４３、及び後支柱２４４を連結して形成された枠体２４０から構成されている。その前方側には前方柵部２２０が取り付けられ、前支柱２４３と後支柱２４４の間にはレール体２１０が固定されている。そして、前支柱２４３とレール体２１０の間、及びレール体２１０と後支柱２４４の間には、空間Xが出来ている。
【００２１】
このように、ラック本体２００は、枠体２４０によって構成され、空間Xを有しているので、全体重量が軽く利便性が高い。なお、右支柱２４１と左支柱２４２の裏面には、後述するブラケット１００の係止爪１２０が係止する係止穴２４５が計４つ設けられている。
【００２２】
また、レール体２１０は横方向（横方向とは、ラック本体２００の長尺方向である。）へ直線状に伸びており、その縦断面（横方向に直角に交わる断面）は、レール体２１０の両端にかけて同一形状となっている。そのため、後述する仕切部材２３０は、レール体２１０の横方向の任意の位置へ取り付けることができる。
【００２３】
また、図２（ｂ）に示すように、枠体２４０の上面は略平坦になっている。即ち、レール体２１０の上面、前支柱２４３及び後支柱２４４の上面、並びに、右支柱２４１及び左支柱２４２の上面は、すべて略同一平面上に位置しているので、枠体２４０の上面にワインボトルBを安定して陳列することができる。
【００２４】
また、図２（ｃ）に示すように、前支柱２４３には格子状の前方柵部２２０が取り付けられている。そして、格子状の前方柵部２２０を採用することで、ラック本体２００の総重量が軽くなる。なお、この前方柵部２２０の格子の大きさは、ワインボトルBの底部を確実に支持出来る大きさに設定されている。
【００２５】
次に、図３（a）及び（ｂ）を参照して、仕切部材２３０の構成について詳しく説明する。
【００２６】
図３（a）に示すように、仕切部材２３０は、把持部２３２と、その把持部２３２から上方へ形成される壁部２３１から構成されている。把持部２３２は、横幅が広い形状となっており、レール体２１０を把持した姿勢を維持しやすくなっている。一方、把持部２３２から上方へ形成された壁部２３１は、薄板状になっている。これは、陳列するスペースをより多く確保するためである。
【００２７】
また、図３（ｂ）に示すように、把持部２３２は、断面略コ字状であり、レール体２１０の前後面と上面を囲むことができる寸法に設計されている。そして、先端には、２つの係止爪２３４が形成されており、仕切部材２３０がレール体２１０から離脱するのを防止できる。
【００２８】
詳しくは後述するが、把持部２３２の前把持片２３５には、つまみ部２３３が設けられており、このつまみ部２３３を押し込むと、前把持片２３５は前方へ弾性変形し、この前把持片２３５と共に係止爪２３４も前方に移動する。この動作によって、仕切部材２３０のレール体２１０への着脱が可能になる。また、仕切部材２３０全体は、合成樹脂製のプラスチック形成品なので、前把持片２３５が弾性変形可能な程度に弾性を有している。
【００２９】
では次に、図４（a）及び（ｂ）を参照して、ラック本体２００のレール体２１０に、仕切部材２３０を着脱する動作について、詳しく説明する。
【００３０】
まず、レール体２１０に仕切部材２３０を取り付ける動作について説明する。図４（a）に示すように、ユーザは、レール体２１０の横方向の任意の位置に、仕切部材２３０を宛がう。具体的には、断面略コ字状をしたレール体２１０の後面側に、把持部２３２の後把持片２３６と係止爪２３４とを引っ掛ける。そして、ユーザは、つまみ部２３３を壁部２３１に向けて押し込む。すると、前把持片２３５は前方へ（壁部２３１とは反対方向へ）弾性変形するので、把持部２３２のコ字状部分は、開かれたような状態となる。
【００３１】
さらに、この状態で仕切部材２３０をレール体２１０へ向けて嵌めるように移動させていくと、図４（ｂ）に示す状態となる。そして、ユーザはつまみ部２３３に力を加えるのをやめれば、再び前把持片２３５は元の状態に戻る。すると、前把持片２３５の下端の係止爪２３４が、ちょうどレール体２１０の下端に引っ掛かり、仕切部材２３０はレール体２１０を確実に把持し、レール体２１０から離脱することを防止する。なお、レール体２１０の前後には空間Xがあることから、上述した動作が行い易い。
【００３２】
反対に、仕切部材２３０をレール体２１０から取り外したい場合は、ユーザはつまみ部２３３を壁部２３１に向けて押し込み、前把持片２３５を前方へ（壁部２３１とは反対方向へ）弾性変形させる。すると、前把持片２３５と共に、前把持片２３５の下端の係止爪２３４も前方へ移動して、把持部２３２がレール体２１０を把持している状態が解除される。そして、そのままの状態で、図４（a）に示すように、仕切部材２３０を上方へ移動させれば、仕切部材２３０をレール体２１０から外していくことができる。
【００３３】
では次に、図５（a）を参照して、ワインラック３００のブラケット１００の構成について詳しく説明する。
【００３４】
図５（a）に示すように、ブラケット１００は、主に係止部１１０と壁部１３０とから構成される。そして、係止部１１０の先端には、複数のフック状の係止爪１１１が設けられている。この係止爪１１１は、図１に示す支柱Pの係止穴P１に差し込んで係止させることができる。
【００３５】
係止部１１０と壁部１３０との間には、壁部１３０の側面から直角に突出した支持片１２１が、直線状に設けられ、その支持片１２１の一部に係止爪１２０が設けられている。この支持片１２１はラック本体２００の底面を支持し、係止爪１２０はラック本体２００の係止穴２４５に差し込まれて係止される。したがって、支持片１２１及び係止爪１２０によって、ラック本体２００を固定する事になる。
【００３６】
ここで、図５（a）に示すブラケット１００では、係止部１１０に対して、支持片１２１及び係止爪１２０が上方へ向けて配置されている。したがって、支持片１２１及び係止爪１２０により固定されるラック本体２００は、係止部１１０より上方へ配置されることになり、ラック本体２００に陳列される商品は陳列スペースの上方へ向けて展示されることになる。これは、商品棚の上方の展示スペースを活用したい場合に、特に有利である。
【００３７】
一方、図５（ｂ）は、図５（a）に示すブラケット１００の変形例であるブラケット１００Aを示す。このブラケット１００Aは、係止部１１０Aに対して、支持片１２１A及び係止爪１２０Aが下方へ向けて配置されている。したがって、支持片１２１A及び係止爪１２０Aにより固定されるラック本体２００は、係止部１１０Aより下方へ配置されることになり、ラック本体２００に陳列される商品は陳列スペースの下方へ向けて展示されることになる。これは、商品棚の下方の展示スペースを活用したい場合に、特に有利である。
【００３８】
なお、本考案のワインラックは、上記の実施例に限定されず、実用新案登録請求の範囲に記載された範囲、実施形態の範囲で、種々の変形例、組み合わせが可能であり、これらの変形例、組み合わせも本考案の範囲に含むものである。
【図１】
0003191827.tif 000003
【図２】
0003191827.tif 000004
【図３】
0003191827.tif 000005
【図４】
0003191827.tif 000006
【図５】
0003191827.tif 000007
【図６】
0003191827.tif 000008